(57)【要約】【課題】  第一容器と第二容器との内容物の存在状態に関係なく、密封状態を保持したまま容器内の内容物を混合でき、且つ第一容器と第二容器とが完全に一体構成にできる混合用容器を提供する。【解決手段】  容器口部にキャップ本体を螺合し、内容物を収容している第一容器の上方に、キャップ本体を介してプラスチック製の、内容物を収容している第二容器を正立載置して、第二容器の外側をオーバーキャップで覆ってなることで、オーバーキャップをキャップ本体から外し、第二容器をオーバーキャップに倒立固定し、オーバーキャップをキャップ本体に再度装着して、キャップ本体の開口の第一シール部材を剥離または第二容器の口部端で破断し、且つ第二容器の口部の第二シール部材をカッターによって破断して、第一容器と第二容器との密封性を保持したまま連通させ、第一容器及び第二容器の内容物を混合できるから、上記課題を達成できる。【選択図】      図３
2006021804.tif 000002
【特許請求の範囲】
【請求項１】
容器口部の外周面に形成された螺条を介してキャップ本体を螺合した第一容器の上方に
、該キャップ本体を介してプラスチック製の第二容器が正立載置され、該第二容器の外側
をオーバーキャップで覆ってなる混合用容器であって、
上記キャップ本体は、天面壁と該天面壁の周縁から垂下するスカート壁を備え、該天面
壁の中央部には開口が形成されており、該天面壁の上面には該開口を覆う第一シール部材
が形成され、該天面壁に複数のブリッジにより支持されたカッターが該開口に対応した位
置に設けられており、該天面壁の周縁上面には上方に延びる係止突起が設けられており、
上記第二容器は、上記キャップ本体の開口に挿入可能な口部を有し、該口部には第二シ
ール部材が施されており、
上記オーバーキャップは頂板壁と側壁を備え、該頂板壁の内面には上記第二容器の下部
を倒立固定可能な固定用リブが周方向に間隔を置いて複数設けられており、該側壁の下端
部は上記本体キャップの天面壁周縁上面の上記係止突起外周面と係合しており、
上記オーバーキャップを上記キャップ本体から取り外し、上記第二容器を該オーバーキ
ャップ頂板壁内面の固定用リブに倒立固定し、該第一シール部材を該天面壁の上面から剥
離した後に、該オーバーキャップを該キャップ本体に再度装着することにより、該第二容
器の口部が該キャップ本体の開口に挿入固定されて該第二容器の第二シール部材が該キャ
ップ本体のカッターによって破断され、第一容器と第二容器が連通されて第一容器と第二
容器の内容物が混合されるようにしたことを特徴とする混合用容器。
【請求項２】
容器口部の外周面に形成された螺条を介してキャップ本体を螺合した第一容器の上方に
、該キャップ本体を介してプラスチック製の第二容器が正立載置され、該第二容器の外側
をオーバーキャップで覆ってなる混合用容器であって、
上記キャップ本体は、天面壁と該天面壁の周縁から垂下するスカート壁を備え、該天面
壁の中央部には開口が形成されており、該天面壁の上面には該開口を覆う第一シール部材
が形成され、該天面壁に複数のブリッジにより支持されたカッターが該開口に対応した位
置に設けられており、該天面壁の周縁上面には上方に延びる係止突起が設けられており、
上記第二容器は、上記キャップ本体の開口に挿入可能な口部を有し、該口部には第二シ
ール部材が  施されており、
上記オーバーキャップは頂板壁と側壁を備え、該頂板壁の内面には上記第二容器の下部
を倒立固定可能な固定用リブが周方向に間隔を置いて複数設けられており、該側壁の下端
部は上記本体キャップの天面壁周縁上面の上記係止突起外周面と係合しており、
上記オーバーキャップを上記キャップ本体から取り外し、上記第二容器を該オーバーキ
ャップ頂板壁内面の固定用リブに倒立固定し、該オーバーキャップを該キャップ本体に再
度装着することにより、該第二容器の口部が該開口を覆う第一シール部材を上面から破断
し、さらに該第二容器の口部をキャップ本体の開口内に挿入することにより、該第二容器
の第二シール部材が該キャップ本体のカッターによって破断され、第一容器と第二容器が
連通されて第一容器と第二容器の内容物が混合されるようにしたことを特徴とする混合用
容器。
【請求項３】
上記開口を形成する上記キャップ本体天面内周面は、半径方向外方に向かって下方に延
びる傾斜面になっており、上記第二容器の口部外周には該傾斜面に係合する環状突起が設
けられている請求項１または２記載の混合用容器。
【請求項４】
上記第二容器の底部に環状の糸尻が形成されているとともに、上記キャップ本体の天面
壁には、該糸尻外周を収納出来る没入部が形成されており、該没入部内に上記開口が形成
されている請求項１ないし３のいずれか１項記載の混合用容器。
【発明の詳細な説明】
【技術分野】
【０００１】
本発明は、別々の容器に収容した種類の異なる粉粒物や液状物などの内容物を直前に混
合して使用できるようにするための混合用容器に関し、より詳しくは、第二容器の開口を
覆うシール部材と、第一容器の口部に螺着されたキャップ本体の開口部を覆うシール部材
を、容器の合体操作の中で安定した状態で剥離または破断することができ、第一容器内に
第二容器の内容物を流し込み、第一容器の内容物と混合できるようにするとともに、混合
作業時にシェイクしても内容物が漏れることのない混合用容器に関する。
【背景技術】
【０００２】
混合用容器は、２種類の内容物を別々の容器に収容してあり、これら内容物を使用直前
に混合して使用するものである。例えば、飲食物ではコーヒーとガムシロップやミルク、
紅茶とガムシロップやレモン汁など、また、化粧品、薬品などでも使用直前に混合した方
がよいものがあり、従来から下記に示すものが知られている。
【０００３】
【特許文献１】実用新案登録第２５３０５６９号
【０００４】
この特許文献１の混合用容器は、第一剤が収容され口部にシール部材が被覆された第一
容器と、第二剤が収容され口部に装着されるキャップにより当該口部の注出栓が密封され
る第二容器と、第一容器の口部に一端が固定され且つ第二容器の口部の基部に設けられた
係合部と係合する突部を他端内面に有する筒状の連結部材とを具備してなり、連結部材の
突部に第二容器の係合部が係合されたとき、連結部材の内面に周設された山形リブの谷間
に第二容器の口部の外周に周設された山形リブが案内され、このときに注出栓によりシー
ル部材が破断されて、第一容器の第一剤と第二容器の第二剤とが混合されるようにしたも
のである。
【発明の開示】
【発明が解決しようとする課題】
【０００５】
特許文献１の混合用容器は、第一容器の口部にシール部材が被覆されて密封状態となっ
ており、第二容器の口部にキャップが装着されることにより、当該口部の注出栓が密封さ
れるものである。この混合容器においては、第一容器と第二容器とが連結部材により連結
される際、第二容器の口部からキャップが装脱されるため、第二容器は口部の注出栓を通
じて開放状態となり、細菌や埃などの異物の混入などの汚染の虞があり、更に、第二剤が
粉粒体や液体などのこぼれやすいものであると、これらがこぼれないように第二容器を保
持した状態で第一容器を連結部材にて連結する必要がある。このため、第二容器の第二剤
は、特許文献１に明記の通り、口部の注出栓からこぼれない径を有する錠剤などの固形物
に限定される。加えて、第一容器と第二容器とは完全に別個に存在しているため、保管や
流通上煩わしいことになる。
【０００６】
そこで、本発明の目的は、第一容器と第二容器との内容物の存在状態に関係なく、密封
状態を保持したまま容易に混合でき、混合作業時にシェイクをしても液体が漏出すること
がなく、且つ第一容器と第二容器とが完全に一体構成にできる混合用容器を提供すること
にある。
【課題を解決するための手段】
【０００７】
本発明は、上記目的を達成するために提案されたものであって、下記の構成からなるこ
とを特徴とするものである。
すなわち、本発明によれば、容器口部の外周面に形成された螺条を介してキャップ本体
を螺合した第一容器の上方に、該キャップ本体を介してプラスチック製の第二容器が正立
載置され、該第二容器の外側をオーバーキャップで覆ってなる混合用容器であって、
上記キャップ本体は、天面壁と該天面壁の周縁から垂下するスカート壁を備え、該天面
壁の中央部には開口が形成されており、該天面壁の上面には該開口を覆う第一シール部材
が形成され、該天面壁に複数のブリッジにより支持されたカッターが該開口に対応した位
置に設けられており、該天面壁の周縁上面には上方に延びる係止突起が設けられており、
上記第二容器は、上記キャップ本体の開口に挿入可能な口部を有し、該口部には第二シ
ール部材が  施されており、
上記オーバーキャップは頂板壁と側壁を備え、該頂板壁の内面には上記第二容器の下部
を倒立固定可能な固定用リブが周方向に間隔を置いて複数設けられており、該側壁の下端
部は上記本体キャップの天面壁周縁上面の上記係止突起外周面と係合しており、
上記オーバーキャップを上記キャップ本体から取り外し、上記第二容器を該オーバーキ
ャップ頂板壁内面の固定用リブに倒立固定し、該第一シール部材を該天面壁の上面から剥
離した後に、該オーバーキャップを該キャップ本体に再度装着することにより、該第二容
器の口部が該キャップ本体の開口に挿入固定されて該第二容器の第二シール部材が該キャ
ップ本体のカッターによって破断され、第一容器と第二容器が連通されて第一容器と第二
容器の内容物が混合されるようにしたことを特徴とする混合用容器が提供される。
【０００８】
また、本発明によれば、容器口部の外周面に形成された螺条を介してキャップ本体を螺
合した第一容器の上方に、該キャップ本体を介してプラスチック製の第二容器が正立載置
され、該第二容器の外側をオーバーキャップで覆ってなる混合用容器であって、
上記キャップ本体は、天面壁と該天面壁の周縁から垂下するスカート壁を備え、該天面
壁の中央部には開口が形成されており、該天面壁の上面には該開口を覆う第一シール部材
が形成され、該天面壁に複数のブリッジにより支持されたカッターが該開口に対応した位
置に設けられており、該天面壁の周縁上面には上方に延びる係止突起が設けられており、
上記第二容器は、上記キャップ本体の開口に挿入可能な口部を有し、該口部には第二シ
ール部材が  施されており、
上記オーバーキャップは頂板壁と側壁を備え、該頂板壁の内面には上記第二容器の下部
を倒立固定可能な固定用リブが周方向に間隔を置いて複数設けられており、該側壁の下端
部は上記本体キャップの天面壁周縁上面の上記係止突起外周面と係合しており、
上記オーバーキャップを上記キャップ本体から取り外し、上記第二容器を該オーバーキ
ャップ頂板壁内面の固定用リブに倒立固定し、該オーバーキャップを該キャップ本体に再
度装着することにより、該第二容器の口部が該開口を覆う第一シール部材を上面から破断
し、さらに該第二容器の口部をキャップ本体の開口内に挿入することにより、該第二容器
の第二シール部材が該キャップ本体のカッターによって破断され、第一容器と第二容器が
連通されて第一容器と第二容器の内容物が混合されるようにしたことを特徴とする混合用
容器が提供される。
【０００９】
また、本発明によれば、上記開口を形成する上記キャップ本体天面内周面は、半径方向
外方に向かって下方に延びる傾斜面になっており、上記第二容器の口部外周には該傾斜面
に係合する環状突起が設けられている混合用容器が提供される。
【００１０】
また、本発明によれば、上記第二容器の底部に環状の糸尻が形成されているとともに、
上記キャップ本体の天面壁には、該糸尻外周を収納出来る没入部が形成されており、該没
入部内に上記開口が形成されている混合用容器が提供される。
【発明の効果】
【００１１】
本発明の請求項１の混合容器は、オーバーキャップをキャップ本体から取り外し、第二
容器をオーバーキャップの頂板壁内面の固定用リブに倒立固定し、オーバーキャップをキ
ャップ本体に再度装着することにより、キャップ本体の開口を密封している第一シール部
材を剥離した後、第二容器の口部を該キャップ本体の開口に挿入固定する過程で、第二容
器の口部をシールしている第二シール部材をキャップ本体のカッターによって破断する構
成となっており、第二容器をオーバーキャップ内に倒立固定する際には、オーバーキャッ
プ内の固定用リブが第二容器の側部と底部をしっかりと固定するために、第一容器と第二
容器の合体操作は、全くがたつきのない状態で行うことができ、かつ、液体、粉粒体など
内容物の存在状態にも規制されないで、内容物を容易に混合できる効果がある。さらに、
第二容器は、第一容器の口部に螺合したキャップ本体とオーバーキャップとの間に収納さ
れるから、第一容器と第二容器とが完全に一体構成となり、保管や流通上の取扱が単純且
つ容易となる効果がある。
【００１２】
また、本発明の請求項２の態様によれば、第一シール部材と第二シール部材が、ともに
第一容器と第二容器の合体操作の過程で破断され、第一容器と第二容器との密封状態を保
持したまま連通させて混合するように構成されているため、途中で異物が混入してくる余
地がない上に、上記請求項１と同様の効果が達成できる。
【００１３】
また、本発明の請求項３の態様によれば、キャップ本体にオーバーキャップを再度装着
すると、キャップ本体の開口に第二容器の口部を挿入固定することになるが、その際、開
口を形成するキャップ本体天面内周面の傾斜面に、第二容器の口部外周にある環状突起を
係合させているため、上記の効果に加えて、キャップ本体の口部の傾斜面に第二容器の口
部の環状突起が密着し、第二容器の抜けや漏れがより一層防止出来る効果がある。
【００１４】
また、本発明の請求項４の態様によれば、第二容器の底部に環状の糸尻を形成し、この
糸尻部分を収納出来る形状の没入部をキャップ本体の開口部周縁に形成することによって
、第二容器の糸尻がこの没入部に保持されるため、第二容器ががたつくことなく没入部に
正立載置することができる。
【発明を実施するための最良の形態】
【００１５】
以下に、図面を参照して本発明を実施するための最良の形態を説明する。
【実施例１】
【００１６】
図１は本発明の実施例１を示す混合用容器の縦断面図、図２は本発明の実施例１を示す
混合用容器を構成するキャップ本体の平面図である。図において、混合用容器１は、容器
口部２の外周面に形成された螺条３を介してキャップ本体４を螺合し、内容物５ａを収容
している第一容器５の上方に、キャップ本体４を介してプラスチック製の、内容物６ａを
収容している第二容器６が正立載置され、この第二容器６の外側をオーバーキャップ７で
覆ってなるものである。なお、第一容器５の内容物５ａ、第二容器６の内容物６ａはとも
に液体、粉粒体などである。
【００１７】
前記キャップ本体４は、この天面壁１０の周縁から垂下するスカート壁１１を備え、天
面壁１０の周縁上面に上方に延びる係止突起１６を有しており、この天面壁１０の上面と
上記係止突起１６の内周面によって区画されて第二容器６が正立載置可能な凹部２０が形
成されており、その凹部内の中央には没入部２４が形成されており、その没入部内に開口
１２が設けられている。天面壁１０の上面には開口１２を覆う第一シール部材１３が形成
されている。第一シール部材１３は、請求項１の態様においては、手などでで剥離するこ
とが出来るようにシール部材の端部にタブ１３ａが形成されており、請求項２の態様にお
いては、第二容器６の口部２１の押圧によって破断可能な素材で形成されている。この開
口１２の下方には、倒立状態の第二容器の口部２１が開口１２内に挿入された時に、第二
シール部材２３を破断するためのカッター１５が形成されている。このカッター１５の形
状は第二シール部材２３を破断できるものであれば良く、特に限定されるものではないが
、例えば図２に示したように、中央部に鋭角の十字形を有する形態が好ましく用いられる
。このカッター１５は上記天面壁１０の開口１２周縁下方から斜め下方に延びる少なくと
も３以上の複数のブリッジ１４により支持されている。
【００１８】
前記スカート壁１１の外周面にはすべり止め１７が設けられ、更に、この実施例では、
すべり止め１７下方のスカート壁１１下端には公知のタンパーエビデント機構Ｔが施され
、不正開封の事実が一目でわかるようにしている。一方、スカート壁１１の内周面には第
一容器５の螺条３に対応した螺条１８が形成されており、第一容器５とキャップ本体４と
は、螺着脱自在となっている。また、天面壁１０には内筒１９がスカート壁１１の内方に
同心的に設けられ、この内筒１９が第一容器５にキャップ本体４が螺着された際の密封性
を保持する。
【００１９】
この開口１２は、これを形成するキャップ本体４の天面内周面が半径方向外方に向かっ
て下方に延びる傾斜面１２ａになっており、上記第二容器６の口部２１外周には斜視面１
２ａに係合する環状突起２１ａが設けられている。キャップ本体４にオーバーキャップ７
を再度装着した時に、キャップ本体４の開口１２に口部２１を挿入することになるが、こ
の開口１２の傾斜面１２ａと第二容器６の口部２１の環状突起２１ａとが密着するため、
内容物の混合時に容器をシェイクしても開口１２からの第二容器６の抜けやその密着部分
からの漏れが生じない。
【００２０】
この開口１２は、上述の第一シール部材１３によりシールされている。この第一シール
部材１３の素材としては、例えば、アルミ箔、プラスチックシートなどが使用される。な
お、図２中、２２はブリッジ１４の間の隙間であり、開口１２の下方にあって第二容器６
の内容物６ａがこの隙間を通って第一容器内に注ぎ込まれることになる。
前記第二容器６は、既述のとおり、キャップ本体４の開口１２に挿入可能な口部２１を
有し、この口部２１には、例えばアルミ箔のような、前記カッター１５の押圧によって破
断可能な第二シール部材２３が施されている。
【００２１】
前記オーバーキャップ７は頂板壁３０と側壁３１を備え、この頂板壁３０の内面には上
記第二容器６の下部を倒立固定可能な固定用リブ３２が周方向に間隔を置いて少なくとも
３以上の複数設けられており、その側壁３１の下端部３１ａは上記本体キャップ４の天面
壁１０周縁上面の上記係止突起１６の外周面と強固に係合している。そして、この固定用
リブ３２は、第二容器６をオーバーキャップ７の頂板壁３０内面に倒立固定する際に、第
二容器６の底部と側部下部を縦方向と横方向からしっかりと固定するものであり、第一容
器と第二容器の合体操作時に第二容器のぶれやがたつきを完全に防止する。さらに、頂板
壁３０の内面には振れ止め円筒３３が側壁３１の内方に同心的に設けられており、この振
れ止め円筒３３は、キャップ本体４の凹部２０に第二容器６を正立載置している際、持ち
運びなどで第二容器６が揺れて異音が発生することのないようにしている。
【００２２】
また、第二容器６の底部に糸尻２５が形成されている態様においては、糸尻２５はキャ
ップ本体４の天面壁１０の中央部に設けられた没入部２４内に収納される。この没入部２
４に第二容器６の糸尻２５が収納されることと、前述したキャップ本体４の天面壁１０と
係止突起１６により区画された凹部に第二容器を正立載置させることにより、上記振れ止
め円筒３３と協働してさらに異音が発生することのないようにしており、第二容器を安定
的に保持することが可能となる。
【００２３】
なお、第一容器５及び第二容器６の材質は、とくに限定されるものではないが、主にポ
リエチレンテレフタレート（ＰＥＴ）が使用され、キャップ本体４及びオーバーキャップ
７の材質は、主にポリプロピレン、ポリエチレンが使用される。また、この実施例１では
、不正開封の事実が一目でわかるように、前記スカート壁１１の下端にタンパーエビデン
ト機構Ｔが施されているが、オーバーキャップ７からキャップ本体４及び第一容器５の鍔
部３４までを、シュリンクフィルムにて覆い、シュリンクフィルムの不存在により、不正
開封の事実が一目でわかるようにしても良い。
【００２４】
次に、上記構成になる混合用容器１の使用方法について説明する。
図１の状態が使用前の状態であり、まず、キャップ本体４からオーバーキャップ７を取
り外し、キャップ本体４の凹部２０に正立載置している第二容器６を取り外し、キャップ
本体４の開口１２を密封している第一シール部材１３を剥離する。第一シール部材１３に
はタブ１３ａが形成されているために、手でタブ１３ａを引っ張れば容易に剥離すること
ができる。次いで、図３に示すよ                                                  
うに、この第二容器６をオーバーキャップ７の頂板壁３０内面の固定用リブ３２に倒立固
定し、このオーバーキャップ７をキャップ本体４に再度装着する。
第二容器６の口部２１をキャップ本体４の開口１２に挿入固定する際の押圧で、第二容
器６の口部２１を密封している第二シール部材２３をキャップ本体４のカッター１５によ
って破断して開封する。
【００２５】
これによって、第二容器６内の内容物６ａは重力で開口１２の下方にあるブリッジ１４
間の隙間２２を通り、第一容器５内に入り内容物５ａと混合される。その後、更に内容物
５ａと内容物６ａとを充分に混合させるためにシェイクするが、開口１２の傾斜面１２ａ
と第二容器６の口部２１の環状突起２１ａとにより、開口１２に第二容器６が密着してい
るから、開口１２から第二容器６が抜けたり、その密着部分に隙間ができて、内容物５ａ
と内容物６ａとの混合物がこぼれたり、漏れたりすることがない。
また、第一シール部材１３が、剥離するものでなく、第二容器６の口部２１をキャップ
本体４の開口１２に挿入固定する際の押圧で破断される素材で構成された場合は、シール
部材１３を破断した後に、さらに該第二容器の口部をキャップ本体の開口内に挿入し、上
記と同様の操作で第一容器内と第二容器内の内容物の混合が達成される。
【００２６】
内容物５ａと内容物６ａとが充分に混合したら、図４に示すように、第一容器５からキ
ャップ本体４を螺脱する。この際、キャップ本体４は、その開口１２に第二容器６を挿入
固定してあり、その天面壁１０周縁上面の係止突起１６の外周面にオーバーキャップ７を
強固に係合しているから、キャップ本体４と共に第二容器６及びオーバーキャップ７も一
体に取り外せて、第一容器５は完全に開封されるから、第一容器５内の内容物５ａと内容
物６ａとの混合物を自在に利用できる。利用後、第一容器５内に内容物５ａと内容物６ａ
との混合物が残った場合は、第一容器５に一体となっているキャップ本体４を螺着すれば
再封止でき、保管が容易となる。
【００２７】
以上、本発明の実施例１を説明したが、具体的な構成はこれに限定されず、本発明の要
旨を逸脱しない範囲での変更は適宜可能であると理解されるべきである。
【産業上の利用可能性】
【００２８】
本発明の混合用容器は、第一容器と第二容器との内容物が共に液体や粉粒体などのよう
にこぼれやすい場合または異物の混入を極端に嫌う場合に、安定して混合操作が行えるた
めに、特に、利用可能性が極めて高くなる。
【図面の簡単な説明】
【００２９】
【図１】本発明の実施の形態を示す混合用容器の縦断面図である。
【図２】本発明の実施の形態を示す混合用容器を構成するキャップ本体の平面図である。
【図３】本発明の実施の形態を示す混合用容器の利用状態の縦断面図である。
【図４】本発明の実施の形態を示す混合用容器の利用状態の縦断面図である。
【符号の説明】
【００３０】
１                        混合用容器
２                        容器口部
３，１８                  螺条
４                        キャップ本体
５                        第一容器
５ａ，６ａ                内容物
６                        第二容器
７                        オーバーキャップ
１０                      天面壁
１１                      スカート壁
１２                      開口
１２ａ                    傾斜面
１３                      第一シール部材
１３ａ                    タブ
１４                      ブリッジ
１５                      カッター
１６                      係止突起
１７                      すべり止め
１９                      内筒
２０                      凹部
２１                      口部
２１ａ                    環状突起
２２                      隙間
２３                      第二シール部材
２４                      没入部
２５                      糸尻
３０                      頂板壁
３１                      側壁
３１ａ                    下端部
３２                      固定用リブ
３３                      振れ止め円筒
３４                      鍔部
Ｔ                        タンパーエビデント機構
【図１】
2006021804.tif 000003
【図２】
2006021804.tif 000004
【図３】
2006021804.tif 000005
【図４】
2006021804.tif 000006